【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
較正機器であって、送信モジュールと、受信モジュールと、処理モジュールと、を含み、
前記送信モジュールは、第１多重化装置に第１検出信号を送信するよう構成され、
前記受信モジュールは、前記第１多重化装置を通過する前記第１検出信号を受信し、前記第１多重化装置を通過する前記第１検出信号のパワーを検出するよう構成され、
前記処理モジュールは、検出結果に基づき前記第１検出信号の中心周波数を調整するよう構成され、その結果、前記第１検出信号の調整された中心周波数が、前記第１多重化装置の中心周波数と揃えられ、
前記送信モジュールは、更に、前記第１検出信号の前記中心周波数が前記第１多重化装置の前記中心周波数と揃えられると、前記第１多重化装置及び第２多重化装置に、第２検出信号を送信するよう構成され、前記第１多重化装置の前記中心周波数は前記第２検出信号の中心周波数と揃えられ、
前記受信モジュールは、更に、前記第１多重化装置及び前記第２多重化装置を通過する前記第２検出信号を受信し、前記第１多重化装置及び前記第２多重化装置を通過する前記第２検出信号のパワーを検出するよう構成され、
前記処理モジュールは、更に、検出結果に基づき前記第２検出信号の前記中心周波数を調整するよう構成され、その結果、前記第２検出信号の調整された中心周波数は前記第２多重化装置の中心周波数と揃えられる、較正機器。
【請求項２】
前記処理モジュールは、更に、
前記第２検出信号が前記第１多重化装置及び前記第２多重化装置に送信される前に、前記第２検出信号の前記中心周波数及び前記第１多重化装置の前記中心周波数を調整するよう構成され、その結果、前記第２検出信号の前記中心周波数は、前記第１多重化装置の前記中心周波数と揃えられる、請求項１に記載の較正機器。
【請求項３】
前記第１多重化装置に接続され、前記第１多重化装置を通過する前記第１検出信号を、第１フィードバックユニットへとスプリットするよう構成されるテストアクセスポイントと、
前記第１多重化装置に接続され、前記第１多重化装置を通過する前記第１検出信号を前記較正機器に返すよう構成される前記第１フィードバックユニットと、
を更に含む請求項１又は２に記載の較正機器。
【請求項４】
前記第２多重化装置に接続され、前記第１多重化装置及び前記第２多重化装置を通過する前記第２検出信号を前記較正機器に返すよう構成される第２フィードバックユニット、を更に含む請求項１乃至３のいずれか一項に記載の較正機器。
【請求項５】
前記第１フィードバックユニットは反射コンポーネントである、請求項３に記載の較正機器。
【請求項６】
較正方法であって、前記方法は、
第１多重化装置に第１検出信号を送信するステップと、
前記第１多重化装置を通過する前記第１検出信号を受信するステップと、
前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、
を含む方法。
【請求項７】
前記方法は、更に、
前記第２検出信号が前記第１多重化装置及び前記第２多重化装置に送信される前に、前記第２検出信号の前記中心周波数及び前記第１多重化装置の前記中心周波数を調整するステップであって、その結果、前記第２検出信号の前記中心周波数は、前記第１多重化装置の前記中心周波数と揃えられる、ステップ、を含む請求項６に記載の方法。
【請求項８】
前記方法は、更に、
前記第１多重化装置を通過する前記第１検出信号を返すステップ、
を含む請求項６又は７に記載の方法。
【請求項９】
前記方法は、更に、
前記第１多重化装置及び前記第２多重化装置を通過する前記第２検出信号を返すステップ、
を含む請求項６乃至８のいずれか一項に記載の方法。
【請求項１０】
波長分割多重化システムであって、較正機器と、第１多重化装置と、第２多重化装置と、を含み、前記第１多重化装置は前記較正機器に接続され、前記第２多重化装置はピアエンドに配置され、
前記較正機器は以下の動作：
前記第１多重化装置に第１検出信号を送信するステップと、
前記第１多重化装置を通過する前記第１検出信号を受信するステップと、
前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、
を実行するよう構成される、波長分割多重化システム。
【請求項１１】
前記較正機器は、
前記第２検出信号が前記第１多重化装置及び前記第２多重化装置に送信される前に、前記第２検出信号の前記中心周波数及び前記第１多重化装置の前記中心周波数を調整し、その結果、前記第２検出信号の前記中心周波数は、前記第１多重化装置の前記中心周波数と揃えられる、よう構成される、請求項１０に記載の波長分割多重化システム。
【請求項１２】
第１光モジュール及び第２光モジュールを更に含み、前記第１光モジュールは前記第１多重化装置に接続され、前記第２光モジュールは前記第２多重化装置に接続され、
前記第１光モジュールは前記第２光モジュールに光信号を送信し、
前記第２光モジュールは前記の受信した光信号のパワーを検出し、パワー検出結果を前記第１光モジュールに送信し、
前記第１光モジュールは前記受信したパワー検出結果に基づき、前記光信号の中心周波数を調整し、その結果、前記光信号の調整された中心周波数は、前記第１多重化装置及び前記第２多重化装置の前記中心周波数と揃えられる、請求項１０又は１１に記載の波長分割多重化システム。
【請求項１３】
前記第１光モジュールは、前記第２多重化装置に接続され、前記第２光モジュールは、前記第１多重化装置に接続される、請求項１２に記載の波長分割多重化システム。
【請求項１４】
前記較正機器は、
前記第１多重化装置に接続され、前記第１多重化装置を通過する前記第１検出信号を、第１フィードバックユニットへとスプリットするよう構成されるテストアクセスポイントと、
前記第１多重化装置に接続され、前記第１多重化装置を通過する前記第１検出信号を前記較正機器に返すよう構成される前記第１フィードバックユニットと、
を更に含む請求項１０乃至１３に記載のいずれか一項に記載の波長分割多重化システム。
【請求項１５】
前記較正機器は、
前記第２多重化装置に接続され、前記第１多重化装置及び前記第２多重化装置を通過する前記第２検出信号を前記較正機器に返すよう構成される第２フィードバックユニット、を更に含む請求項１０乃至１４のいずれか一項に記載の波長分割多重化システム。
【請求項１６】
前記第１フィードバックユニットは反射コンポーネントである、請求項１４に記載の波長分割多重化システム。
【手続補正２】
【補正対象書類名】明細書
【補正対象項目名】００８３
【補正方法】変更
【補正の内容】
【００８３】
例えば、較正機器２１０の中の処理モジュール３３０は、多重化装置１２０を通過する検出信号のパワーを検出し、検出したパワーに基づき検出信号の中心周波数を変更する。例えば、検出信号の中心周波数は、増大または減少されてよい。その結果、多重化装置１２０を通過する検出信号のパワーはより大きくなる。多重化装置１２０を通過する検出信号のパワーが最大パワー又は予め定められた閾に達すると、検出信号の中心周波数の調整が終了してよい。この場合、較正機器２１０により送信された検出信号が多重化装置１２０を通過した後に生じる挿入損失は最小化され、検出信号の中心周波数は、多重化装置１２０の中心周波数と揃えられる。